(57)【要約】      （修正有）【課題】金具などが外に突出せず、平常時に目視で確実に固定されることが確認できる地震対策用収納家具開き戸開放防止具を提供する。【解決手段】地震対策用収納家具開き戸開放防止具５は、開き戸固定具受け部分７、開き戸の外面角固定部分９及び開き戸の内面角固定部分１０を有する。【選択図】図２
0003155583.tif 000002
【実用新案登録請求の範囲】
【請求項１】
地震の揺れで収納家具の開き戸が開いて内容物が飛散しないように、開き戸が開く部分の上下の角を固定するところを特徴とする地震対策用収納家具開き戸開放防止具。
【考案の詳細な説明】
【技術分野】
【０００１】本考案は、地震の揺れで収納家具の開き戸が開いて内容物が飛散しないように、収納家具に取り付ける地震対策用具に関するものである。
【背景技術】
【０００２】従来は、収納家具の開き戸の地震対策用開放防止具は、収納家具と開き戸又は左右の開き戸を外部から金具などで連結するものや内部に取り付けたものが地震の揺れを感知して開き戸を固定するものであった。
【考案の開示】
【考案が解決しようとする課題】
【０００３】従来の、収納家具の開き戸の地震対策用開放防止具で収納家具や開き戸の外部に取り付けるものは金具などが外に突出するため、体が当ったり衣服を引っ掛けたりすることや外観が悪いという難点がある。また、内部で地震の揺れを感知して開き戸を固定するものは、地震で揺れた時に確実に固定されるかどうかを平常時には目視等で確認できないため、固定されることに確信が持てないという難点がある。本考案は、この難点を解決しようとするものである。
【課題を解決するための手段】
【０００４】本考案は、地震の揺れで収納家具の開き戸が開いて内容物が飛散しないように、開き戸が開く部分の上下の角を収納家具に取り付けた地震対策用収納家具開き戸開放防止具で固定できるようにすることにより課題を解決するものである。
【考案の効果】
【０００５】本考案の地震対策用収納家具開き戸開放防止具を収納家具に取り付け、開き戸を閉めた時に地震対策用収納家具開き戸開放防止具が収納家具より外に突出しないようにしたことで、体が当ったり衣服を引っ掛けたりすることや外観が悪いという難点が解決される。また、本考案の地震対策用収納家具開き戸開放防止具は、開き戸が開放されないよう固定されることが平常時に目視等で確認できるため固定されることに確信が持てないという難点も解決される。
【考案を実施するための最良の形態】
【０００６】収納家具に地震対策用収納家具開き戸開放防止具を取り付け、バネ等を内包し伸縮する開き戸固定具を開き戸固定具受け部分の外側の窪みに入れて開き戸を取り付け、開き戸を閉め取っ手を持って内側へスライドさせ（開き戸の固定具を開き戸固定具受け部分の外側の窪みから内側の窪みにいれることで、開き戸の角固定部分に開き戸の角が入る）開き戸を固定する。開き戸を開く時には、取っ手を持って外側へスライドさせ（開き戸の固定具を開き戸固定具受け部分の内側の窪みから外側の窪みに入れることで、開き戸の角固定部分から開き戸の角が外側に外れる）手前に引く。この地震対策用収納家具開き戸開放防止具の構造上できる開き戸と収納家具の隙間には収納家具又は開き戸と同色の板を貼り付ける。
【実施例】
【０００７】収納家具１に取り付ける地震対策用収納家具開き戸開放防止具５は、開き戸固定具受け部分７と開き戸の外面及び内面の角固定部分９及び１０で構成される。開き戸固定具８を固定するための開き戸固定具受け部分７は、開き戸固定具８を一定の場所で留めるための２つの窪みを有する。この地震対策用収納家具開き戸開放防止具５の構造上できる開き戸２と収納家具１の隙間には収納家具１又は開き戸２と同色の隙間板３及び４を貼り付ける。
【図面の簡単な説明】
【０００８】
【図１】収納家具（２枚戸の場合）及び考案した地震対策用収納家具開き戸開放防止具の前面図である。
【図２】考案した地震対策用収納家具開き戸開放防止具の前面図である。
【図３】考案した地震対策用収納家具開き戸開放防止具の断面図である。
【図４】考案した地震対策用収納家具開き戸開放防止具の斜視図である
【図５】開き戸及び外側隙間板の斜視図である。
【符号の説明】
【０００９】  １  収納冢具
２  開き戸
３  外側隙間板
４  上側及び下側の隙間板
５  地震対策用収納家具開き戸開放防止具
６  取っ手
７  開き戸固定具受け部分
８  開き戸固定具
９  開き戸の外面角固定部分
１０  開き戸の内面角固定部分
【図１】
0003155583.tif 000003
【図２】
0003155583.tif 000004
【図３】
0003155583.tif 000005
【図４】
0003155583.tif 000006
【図５】
0003155583.tif 000007
【手続補正書】
【提出日】平成21年2月20日(2009.2.20)
【手続補正１】
【補正対象書類名】実用新案登録請求の範囲
【補正対象項目名】全文
【補正方法】変更
【補正の内容】
【実用新案登録請求の範囲】
【請求項１】
地震の揺れで収納家具の開き戸が開いて内容物が飛散しないように、開き戸を収納家具に固定かつスライドできるようにする開き戸固定具受け部分と開き戸を閉めて開き戸固定具部分の反対側にスライドさせた時に固定されていない開き戸の角が、開き戸固定具部分反対側の開き戸の角固定部分に入ることにより、開き戸が開かないように固定する所を特徴とする地震対策用収納家具開き戸開放防止具。
【手続補正書】
【提出日】平成21年5月8日(2009.5.8)
【手続補正１】
【補正対象書類名】実用新案登録請求の範囲
【補正対象項目名】全文
【補正方法】変更
【補正の内容】
【実用新案登録請求の範囲】
【請求項１】
地震の揺れで収納家具の開き戸が開いて内容物が飛散しないように、開き戸上部及び下部と収納家具の間の部分に、収納家具に木ねじ等で取り付ける金属製等のもので、開き戸を収納家具に常時固定する側に、開き戸を収納家具に常時固定するための開き戸固定具受け部分（開き戸を収納家具に常時固定するための開き戸の凸状の固定具を、凹状の開き戸固定具受け部分によって、開き戸固定具受け部分方向と開き戸の外面及び内面の角固定部分方向にスライドできるように、常時固定するもの。）と開き戸が開く部分の側に、開き戸の外面及び内面の角固定部分（開き戸を、開き戸固定具受け部分方向にスライドさせて開き戸が開いている状態から、開き戸を閉めて開き戸の外面及び内面の角固定部分方向にスライドさせた時に、固定されていない開き戸の角が、開き戸が閉まった状態で固定するための、開き戸の外面及び内面の角固定部分に設けた開き戸の角外面側と内面側の板状に突き出した部分との間に入ることにより、開き戸が開かないように固定するもの。）を有するところを特徴とする地震対策用収納家具開き戸開放防止具。
【手続補正書】
【提出日】平成21年8月13日(2009.8.13)
【手続補正１】
【補正対象書類名】実用新案登録請求の範囲
【補正対象項目名】全文
【補正方法】変更
【補正の内容】
【実用新案登録請求の範囲】
【請求項１】
地震の揺れで収納家具の開き戸が開いて内容物が飛散しないように、開き戸上部及び下部と収納家具の間の部分に取り付けるもので、開き戸を収納家具に常時固定する側に、開き戸固定具の凸状部分を開き戸固定具受け部分のスライドできるようにした凹上部分に入れて開き戸を開き戸固定具受け部分方向と開き戸の外面角固定部分及び開き戸の内面角固定部分方向にスライドできるように常時固定するための開き戸固定具受け部分を有し、開き戸が開く部分の側に、開き戸を開き戸固定具受け部分方向にスライドさせて開き戸を開き戸の外面側に引いて開いた状態から、開き戸を開き戸の内面側に押して閉め開き戸の外面角固定部分及び開き戸の内面角固定部分方向にスライドさせた時に、常時固定されていない開き戸の角が開き戸の外面角固定部分及び開き戸の内面角固定部分との間に入ることにより、開き戸が開かないように固定するための、開き戸の外面角固定部分及び開き戸の内面角固定部分を有するところを特徴とする地震対策用収納家具開き戸開放防止具。